(57)【要約】【課題】  光ファイバ心線などの巻き径を作業現場で容易に確認できる線条体の曲げ径確認用具、線条体の配線方法及び線条体の曲げ径確認用具セットを提供する。【解決手段】  線条体の曲げ径確認用具１０は、光ファイバ心線１４の異なる許容曲げ径と同径の第１、第２の円弧１１，１２を有し、第１、第２の円弧１１，１２の半径及び直径が表示され、透明材料から形成されている。さらに、曲げ径確認用具１０は、レンズ１５を有し、ひも１９を取り付けるためのひも取付部１７を有する。【選択図】  図１
2005265871.tif 000002
【特許請求の範囲】
【請求項１】
線条体の許容曲げ径と同径の円弧を有することを特徴とする線条体の曲げ径確認用具。
【請求項２】
前記円弧が複数設けられ、前記複数の円弧が異なる許容曲げ径と同径であることを特徴とする請求項１に記載の線条体の曲げ径確認用具。
【請求項３】
透明材料から形成されることを特徴とする請求項１又は２に記載の線条体の曲げ径確認用具。
【請求項４】
前記円弧の半径及び／又は直径が表示されていることを特徴とする請求項１〜３のいずれかに記載の線条体の曲げ径確認用具。
【請求項５】
レンズを有することを特徴とする請求項１〜４のいずれかに記載の線条体の曲げ径確認用具。
【請求項６】
ひも取付部を有することを特徴とする請求項１〜５のいずれかに記載の線条体の曲げ径確認用具。
【請求項７】
線条体を湾曲させて配線する際に、請求項１〜６のいずれかに記載の曲げ径確認用具の前記円弧と前記線条体の湾曲部とを比較して、前記線条体の曲げ径を確認することを特徴とする線条体の配線方法。
【請求項８】
前記線条体の湾曲部に前記円弧を当てることにより比較することを特徴とする請求項７に記載の線条体の配線方法。
【請求項９】
請求項１〜６のいずれかに記載の曲げ径確認用具と、スロット型光ファイバケーブルのスロット溝から光ファイバ心線を取り出すことができる取出し用具と、チューブに光ファイバ心線を導入可能な挿入用具とからなる線条体の曲げ径確認用具セット。
【発明の詳細な説明】
【技術分野】
【０００１】
本発明は、例えば光ファイバ心線、光ファイバコード、光ファイバケーブル等の線条体を配線する際に、線条体の湾曲部が許容曲げ径を確保しているか否かを確認する線条体の曲げ径確認用具、線条体の配線方法及び線条体の曲げ径確認用具セットに関する。
【背景技術】
【０００２】
近年、大容量かつ高速の情報伝送の重要性が高まっており、オフィスビルや一般家庭内においても光ファイバ通信網の整備が進んでいる。
光ファイバをビルや住宅等の建物内に引き込んで配線する際には、光ファイバをコーナ部に沿わせたり、光ファイバの余長部を巻き取り、巻き取った状態でケースに収納することが不可欠となる。
【０００３】
従来の光ファイバの余長部をケースに収納する巻取り収納治具の一例を図８に示す（特許文献１参照）。図８に示すように、巻取り収納治具１１０は、所定の間隔を開けて対向する２つ一対の基台１１１，１１２を備え、基台１１１，１１２上面にはそれぞれ半円形状の２つ一対のケーブルガイド部１１４，１１５が向き合って設けられている。基台１１１，１１２は、左右２つの圧縮型のばね部材１１３でつながっており、対向間の距離がそのばね部材１１３の弾性伸縮動作で可変である。ばね部材１１３に抗して圧縮力が働くと基台１１１，１１２が近接して対向距離を縮小するようになっている。ケーブルガイド部１１４，１１５間にケーブル余長部１０４ｂを一回、もしくは数回巻きつけるようになっている。
このように光ファイバ心線をケース等に収納することにより、光ファイバ心線などの余長部を好適な巻き径に保ち、光ファイバ心線などに無理な曲げや弛みが生じることを防ぐ。これにより、所要の伝送特性を保つことが可能になる。
【特許文献１】特開２００３−２０７６５２号公報
【発明の開示】
【発明が解決しようとする課題】
【０００４】
光ファイバを配線する際に、許容曲げ径以下に湾曲させると、光ファイバの伝送損失が増加し、湾曲が過度になると、光ファイバ心線が折れて断心するという事態が生じることもある。
上記特許文献１のように、ケース内に許容曲げ径を確保できるような構造物を設ける場合もあるが、必ずしも全てにわたって設けることは不可能であり、光ファイバの曲げ径が許容曲げ径を確保しているか否かは、作業者の目視によって判断される場合も多い。このような目視による判断は、作業者にかかる負担が大きく、光ファイバ等が許容曲げ径以上に巻き取られているか否かを、簡単かつ正確に判断することが困難となる。
【０００５】
本発明の目的は、光ファイバ心線などの巻き径を作業現場で容易に確認できる線条体の曲げ径確認用具、線条体の配線方法及び線条体の曲げ径確認用具セットを提供することである。
【課題を解決するための手段】
【０００６】
本発明の線条体の曲げ径確認用具は、線条体の許容曲げ径と同径の円弧を有することを特徴としている。
【０００７】
本発明の線条体の曲げ径確認用具によれば、線条体を湾曲させる際に、線条体の湾曲部に曲げ径確認用具の円弧を当てて、巻き取った線条体が円弧に沿っているか否かを目視することにより、作業者の感に頼らないで、線条体が許容曲げ径以下に湾曲されていないかどうかを容易に判断できる。よって、巻き取った線条体の曲げ径が許容曲げ径であるか否かを、作業現場で容易に判断でき、作業者の負担を軽減できる。
【０００８】
本発明の線条体の曲げ径確認用具は、前記円弧が複数設けられ、前記複数の円弧が異なる許容曲げ径と同径であることが好ましい。
【０００９】
本発明の線条体の曲げ径確認用具は、透明材料から形成されることが好ましい。
本発明の線条体の曲げ径確認用具は、前記円弧の半径及び／又は直径が表示されていることが好ましい。
本発明の線条体の曲げ径確認用具は、レンズを有することが好ましい。
本発明の線条体の曲げ径確認用具は、ひも取付部を有することが好ましい。
【００１０】
また、本発明の線条体の配線方法は、線条体を湾曲させて配線する際に、線条体の曲げ径確認用具の前記円弧と前記線条体の湾曲部とを比較して、前記線条体の曲げ径を確認することを特徴としている。
【００１１】
本発明の線条体の配線方法によれば、曲げ径確認用具の円弧を線条体の湾曲部に当て、曲げ径確認用具の円弧と線条体の湾曲部とを比較して、前記線条体の曲げ径を確認する。
このため、巻き取った線条体の曲げ径が許容曲げ径であるか否かを、作業現場でより一層容易に判断でき、作業者の負担をさらに軽減できる。
本発明の線条体の配線方法は、前記線条体の湾曲部に前記円弧を当てることにより比較することが好ましい。
【００１２】
さらに、本発明の曲げ径確認用具セットは、曲げ径確認用具と、スロット型光ファイバケーブルのスロット溝から光ファイバ心線を取り出すことができる取出し用具と、チューブに光ファイバ心線を導入可能な挿入用具とからなる。
【発明の効果】
【００１３】
本発明の線条体の曲げ径確認用具及び線条体の配線方法によれば、巻き取った線条体に曲げ径確認用具の円弧を当てることで、線条体の曲げ径が許容曲げ径であるか否かを、作業現場で容易に判断できる。
また、本発明の線条体の曲げ径確認用具セットによれば、作業現場において、光ファイバ心線などの取付け作業が容易になり、作業者の負担を軽減できる。
【発明を実施するための最良の形態】
【００１４】
以下、本発明に係る実施形態を図面に基づいて詳細に説明する。図１は、本発明に係る線条体の曲げ径確認用具を示す平面図である。図２（Ａ）〜（Ｃ）は、本発明に係る曲げ径確認用具の使用例（線条体として光ファイバ心線を用いた例）を説明する図である。
図１に示すように、本実施形態に係る曲げ径確認用具１０は、２つの大小の円盤１１Ａ，１２Ａが連結部１６で一部重なった構造を有している。また、曲げ径確認用具１０は、円盤１１Ａ，１２Ａの円弧、すなわち第１の円弧１１及び第２の円弧１２を有している。
【００１５】
第１の円弧１１は、一例として半径Ｒ１：３０ｍｍ（直径Φ１：６０ｍｍ）で形成され、曲げ径確認用具１０の表面には、第１の円弧１１がほぼ全周にわたって黒線等で描かれている。また、第１の円弧１１の近傍には、「Ｒ３０（Φ６０）」と書かれており、第１の円弧１１の半径及び直径が表示されている。
第２の円弧１２は、一例として半径Ｒ２：１５ｍｍ（直径Φ２：３０ｍｍ）で形成され、第１の円弧１１と同様に、曲げ径確認用具１０の表面には、第２の円弧１２が全周にわたって黒線等で描かれている。また、第２の円弧１２の近傍には、「Ｒ１５（Φ３０）」と書かれており、第２の円弧１２の半径及び直径が表示されている。
第１の円弧１１及び第２の円弧１２の半径及び直径の表示は、半径及び直径のいずれかのみでもよい。
【００１６】
半径Ｒ１：３０ｍｍ（直径Φ１：６０ｍｍ）及び、半径Ｒ２：１５ｍｍ（直径Φ２：３０ｍｍ）は、それぞれ光ファイバ心線１４，１４’（図２）の許容曲げ径と同じ径である。ここで、光ファイバ心線１４，１４’とは、通常１２５μｍの石英ガラスの周囲に樹脂層を被覆したもので、外径０．２５ｍｍ、０．９ｍｍのもの等がよく知られている。
【００１７】
現状の光ファイバ心線の許容曲げ径は一般に半径Ｒ：３０ｍｍであるが、最近の技術進歩により曲げに強い許容曲げ径（半径Ｒ：１５ｍｍ）の光ファイバ心線が市場に出回り始めている。今後、さらに小径のものも出てくるものと思われる。そこで、本発明に係る曲げ径確認用具では、複数の円弧を設けて、一個の曲げ径確認用具で、異なる許容曲げ径に対応するようにしている。
【００１８】
曲げ径確認用具１０は、例えばポリカーボネートなどの透明材料から形成されている。曲げ径確認用具１０を構成する材料としては、ポリカーボネートに限定されず、無色または有色の透明プラスチック材料で形成されていればよい。また、透明材料に代えて半透明の材料を使用することも可能である。要は向こう側が透けて見えればよい。
曲げ径確認用具１０が透明材料から形成されることで、光ファイバ心線１４，１４’（図２）に曲げ径確認用具１０の第１，２の円弧１１，１２を当てた際に、光ファイバ心線１４が曲げ径確認用具で遮られていても、曲げ径確認用具１０を介して目視することが可能になる。
【００１９】
また、曲げ径確認用具１０の大きい円盤１１Ａの略中央には、レンズ１５が設けられている。レンズ１５は、例えばフレネルレンズを用いることができるが、拡大できるレンズであれば特に限定されない。また、曲げ径確認用具１０の全域をレンズにすることも可能である。このように曲げ径確認用具１０にレンズ機能を付加することで、光ファイバ心線等のような極めて細い線条体を拡大して目視することが容易になる。
【００２０】
第１、第２の円弧１１，１２が重なった連結部１６から第２の円弧１２にかけて、長孔のひも取付部１７が形成されている。ひも取付部１７にひも１９を通すことで、曲げ径確認用具１０にひも１９を結びつけることが可能になり、例えば、作業者の首にひも１９をかけて曲げ径確認用具１０を首から提げて使用できる。よって、携帯や使用に便利であり、さらに紛失を防ぐことができる。ひも取付部１７の形状は特に限定されず、フック状のものであってもよい。
【００２１】
次に、線条体の曲げ径確認用具１０を用いた線条体の配線方法を図２（Ａ）〜（Ｃ）に基づいて説明する。
図２（Ａ）及び（Ｂ）は、光ファイバ心線をコーナ部に配線する方法を示している。図２（Ａ）に示すように、許容曲げ径が半径Ｒ：３０ｍｍの光ファイバ心線１４をコーナ部２１に配線する。このとき、第２の円弧１２を親指２３と人差し指２４でつかみ、第１の円弧１１を光ファイバ心線１４の湾曲部１４Ａに当てる。この状態で、光ファイバ心線１４の湾曲部１４Ａと、第１の円弧１１とを比較して、光ファイバ心線１４の湾曲部１４Ａが許容曲げ径（半径Ｒ：３０ｍｍ）より小さくなっていないか確認する。
【００２２】
図２（Ｂ）に示すように、許容曲げ径が半径Ｒ：１５ｍｍの光ファイバ心線１４’をコーナ部２６に配線する際に、第１の円弧１１を親指２３と人差し指２４でつかみ、第２の円弧１２を光ファイバ心線１４の湾曲部１４Ｂに当てる。図２（Ａ）の場合と同様に、光ファイバ心線１４’の湾曲部１４Ｂと、第２の円弧１２とを比較して、光ファイバ心線１４’の湾曲部１４Ｂが許容曲げ径（半径Ｒ：１５ｍｍ）より小さくなっていないか確認する。
【００２３】
図２（Ｃ）は、光ファイバ心線の配線に際し、光ファイバの余長をケース内に収納する方法を示している。図２（Ｃ）に示すように、許容曲げ径が半径Ｒ：３０ｍｍの光ファイバ心線１４の余長を周回させた巻取り部１４Ｃを形成して巻き取り、トレイ内収納部２７に収納する。第２の円弧１２を親指２３と人差し指２４でつかみ、第１の円弧１１を、巻取り部１４Ｃの上部から巻取り部１４Ｃに当てる。
【００２４】
この状態で、巻取り部１４Ｃと、第１の円弧１１とを比較して、光ファイバ心線１４の巻取り部１４Ｃの直径が第１の円弧１１の直径（Φ１：６０ｍｍ）より小さくなっていないか確認する。光ファイバ心線１４の巻取り部１４Ｃと第１の円弧１１とを比較して、巻取り部１４Ｃが第１の円弧と同程度の大きさか、または、それより大きければ、光ファイバ心線１４の巻取り部１４Ｃが許容曲げ径が半径Ｒ：３０ｍｍを確保していると判断する。
【００２５】
図２（Ａ）〜（Ｃ）で説明したように、曲げ径確認用具１０を用いることで、作業者の感に頼らないで光ファイバ心線１４，１４’が許容曲げ径を確保しているか否かの判断が可能になる。よって、光ファイバ心線１４，１４’の曲げ径が許容曲げ径であるか否かを、作業現場で容易に判断でき、作業者の負担を軽減できる。
【００２６】
また、曲げ径確認用具１０に、半径Ｒ１：３０ｍｍの第１の円弧１１と、半径Ｒ２：１５ｍｍの第２の円弧１２とを備えることで、異なる許容曲げ径３０ｍｍ、１５ｍｍに対応するようにした。よって、光ファイバ心線１４，１４’の曲げ径が許容曲げ径であるか否かを、作業現場でより一層容易に判断でき、作業者の負担をさらに軽減できる。
加えて、曲げ径確認用具１０に、「Ｒ３０（Φ６０）」や「Ｒ１５（Φ３０）」のように第１，２の円弧１１，１２の半径及び／又は直径（すなわち、光ファイバ心線の許容曲げ径）を表示することで、光ファイバ心線１４，１４’の曲げ径が許容曲げ径であるか否かを、作業現場でより一層容易に判断でき、作業者の負担をさらに軽減できる。
【００２７】
また、前述したように、図２に示す光ファイバ心線１４，１４’は極めて細い。よって、曲げ径確認用具１０にレンズ１５を付加することで、光ファイバ心線１４を拡大して目視することが可能になり、曲げ径確認用具１０の使い勝手の向上を図る。
【００２８】
さらに、曲げ径確認用具１０を透明材料で形成することで、図２（Ｃ）の配線方法のように、光ファイバ心線１４の上部から曲げ径確認用具１０を当てた場合でも、曲げ径確認用具１０を通して光ファイバ心線１４を目視することが可能になる。よって、光ファイバ心線１４の曲げ径が許容曲げ径であるか否かを、作業現場でより一層容易に判断でき、作業者の負担をさらに軽減できる。
【００２９】
なお、上記実施形態では、線条体として光ファイバ心線１４，１４’を例に説明したが、これに限らないで、光ファイバコードや光ファイバケーブルなどに適用しても同様の効果を得ることができる。光ファイバコードとは、光ファイバ心線のまわりに抗張力繊維を配し、その上をビニルなどで被覆したものをいう。光ファイバケーブルとは、抗張力用テンションメンバのまわりに光ファイバ心線などを配し、その上をポリエチレンなどで被覆したものをいう。
【００３０】
また、上記実施形態では、線条体の曲げ径確認用具１０に複数の円弧として第１の円弧１１と、第２の円弧１２を備えた例について説明したが、円弧数は、これに限らないで、例えば第１、第２の円弧１１，１２に半径Ｒ３：７．５の第３の円弧を加えて３個の円弧とすることも可能である。
さらには、曲げ径確認用具１０は１個の円弧を備えるだけでもよい。
【００３１】
本発明に係る線条体の曲げ径確認用具は、他の用具と組み合わせて、線条体の曲げ径確認用具セットとすることができる。本発明の曲げ径確認用具と組み合わせることができる用具としては、特に限定されないが、例えばスロット型光ファイバケーブルのスロット溝から光ファイバ心線を取り出すことができる取出し用具、及びチューブに光ファイバ心線を導入可能な挿入用具等が挙げられる。以下、図３〜７に基づいて、線条体の取出し用具及び線条体の挿入用具について説明する。
【００３２】
図３は本発明の曲げ径確認用具セットに係る線条体の取出用具を示す平面図、図４（Ａ）〜（Ｃ）は本発明の曲げ径確認用具セットに係る取出用具の使用例を説明する図である。
図３に示す線条体の取出し用具３０は、基部３１の下端部３２が先細り状に形成され、下端部３２の端部から第１、第２の取出片３３，３４を延出している。
第１取出片３３の幅を、第２取出片３４の幅と同じＷに形成し、第１取出片３３の長さＬ１を、第２取出片３４の長さＬ２より長く形成する。第１取出片３３の先端部３３Ａ及び第２取出片３４の先端部３４Ａは湾曲状に形成されている。
【００３３】
基部３１の上端には、円形のひも取付部３５が形成されている。ひも取付部３５にひも１９を通すことで、取出し用具３０にひも１９を結びつけることが可能になる。これにより、例えば作業者の首にひも１９をかけて取出し用具３０を首から提げて使用できるため、携帯や使用に便利であり、さらに紛失を防ぐことができる。
【００３４】
次に、線条体の取出し用具３０の使用方法を図４（Ａ）〜（Ｃ）に基づいて説明する。
図４（Ａ）に示すように、スロット型光ファイバケーブル３７のスロット溝３７Ａに光ファイバ心線１４が複数ある場合、まず、図４（Ｂ）に示すように、第１取出片３３の先端部３３Ａを光ファイバ心線１４に向けて差し込み、光ファイバ心線１４をすくい出すようにして取り出す。さらに、図４（Ｃ）に示すように、第２取出片３４を別の光ファイバ心線１４に向けて差し込んで、取り残した光ファイバ心線を取り出すことができる。
【００３５】
一般に、スロット型光ファイバケーブル３７のスロット溝３７Ａから光ファイバ心線１４を取り出す場合、スロット溝３７Ａは小さく、かつ光ファイバ心線１４は極めて細い線なので、取り出し作業に時間がかかることがある。しかし、上記線条体の取出し用具３０によれば、スロット溝３７Ａから光ファイバ心線１４を容易に取り出すことができる。
【００３６】
次に、光ファイバ心線１４をチューブ４１に挿入するための用具、すなわち線条体の挿入用具４０を図５〜図６に基づいて説明する。
図５は本発明曲げ径確認用具セットに係る線条体の挿入用具を示す平面図、図６は本発明曲げ径確認用具セットに係る挿入用具の使用例を説明する図である。
【００３７】
図５に示す線条体の挿入用具４０は、中央部４２を厚さＴ１に形成し、先端部４３を厚さＴ２に形成し、基端部４４を厚さＴ３に形成し、例えば中央部４２、先端部４３及び基端部４４をそれぞれ黒色としたものである。
中央部４２を厚さＴ１、先端部４３を厚さＴ２、基端部４４を厚さＴ３は、Ｔ２＞Ｔ１＞Ｔ３の関係が成立する。
【００３８】
中央部４２にはチューブ４１（図６参照）を保持するＶ字状の保持溝４６が形成され、先端部４３には光ファイバ心線１４を案内するＶ字状の案内溝４７が形成されている。
さらに保持溝４６と案内溝４７とは同軸状に形成され、保持溝４６と案内溝４７との境界には、保持溝４６にセットしたチューブ４１の先端４１Ａ（図６参照）を当接する段部４８を備え、段部４８の高さはチューブ４１の貫通孔４１Ｂ（図６参照）が案内溝４７に臨むように設定されている。
【００３９】
基端部４４にはひも取付部４９が形成されている。ひも取付部４９は、円形に形成されている。ひも取付部４９にひも１９を通すことで、挿入用具４０にひも１９を結びつけることが可能になる。これにより、例えば、作業者の首にひも１９をかけて挿入用具４０を首から提げて使用できるため、携帯や使用に便利であり、さらに紛失を防ぐことができる。
【００４０】
次に、線条体の挿入用具４０の使用方法を図６に基づいて説明する。
挿入用具４０を用いてチューブ４１に光ファイバ心線１４を挿入する際には、先ず、図６に示すように、保持溝４６にチューブ４１をセットし、チューブ４１の先端４１Ａを段部４８（図５参照）に当接する。この状態で、チューブ４１の貫通孔４１Ｂが案内溝４７に臨む。
【００４１】
案内溝４７に光ファイバ心線１４をセットし、光ファイバ心線１４を若干湾曲させて、案内溝４７に沿って光ファイバ心線１４の先端１４Ｄをチューブ４１に向けて移動する。光ファイバ心線１４の先端１４Ｄからチューブ４１の貫通孔４１Ｂに挿入する。
これにより、光ファイバ心線１４をチューブ４１に容易に挿入することができる。
ここで、挿入用具４０を黒色にしたので、チューブ４１及び光ファイバ心線１４の識別が容易になり、光ファイバ心線１４をチューブ４１の貫通孔４１Ｂに挿入する作業をさらに容易に行うことができる。
【００４２】
光ファイバ心線１４をチューブ４１に挿入（導入）し、光ファイバ心線１４の保護を図ることができる。上記の線条体の挿入用具４０よれば、光ファイバ心線１４をチューブ４１に挿入する作業を容易に行うことができる。
【００４３】
図７に示す曲げ径確認用具セット５０は、曲げ径確認用具１０、取出し用具３０及び挿入用具４０の各々のひも取付部１７，３５，４９にひも１９を通すことで、曲げ径確認用具１０に加えて、取出し用具３０と挿入用具４０とをひも１９で結びつけたものである。よって、一例として、作業者の首にひも１９をかけることで、曲げ径確認用具１０に加えて、取出し用具３０及び挿入用具４０をひもでまとめて携帯することができる。
【００４４】
よって、曲げ径確認用具１０を用いることで光ファイバ心線１４の曲げ径を確認する作業が容易になり、さらに取出し用具３０を用いることでスロット型光ファイバケーブル３７のスロット溝３７Ａから光ファイバ心線１４を取り出す作業が容易になり、加えて挿入用具４０を用いることでチューブ４１に光ファイバ心線１４を挿入する作業が容易になる。従って、作業現場において、光ファイバ心線１４などの取付け作業が容易になり、作業者の負担を軽減できる。
【００４５】
その他、前述した実施形態において例示した曲げ径確認用具１０，第１の円弧１１，第２の円弧１２，レンズ１５，ひも取付部１７，３５，４９，取出し用具３０，挿入用具４０等の材質，形状，寸法，形態，数，配置個所等は本発明を達成できるものであれば任意であり、限定されない。
【図面の簡単な説明】
【００４６】
【図１】本発明に係る線条体の曲げ径確認用具を示す平面図である。
【図２】（Ａ）〜（Ｃ）は本発明に係る曲げ径確認用具の使用例を説明する図である。
【図３】本発明に係る線条体の取出用具を示す平面図である。
【図４】（Ａ）〜（Ｃ）は本発明に係る取出用具の使用例を説明する図である。
【図５】本発明に係る線条体の挿入用具を示す平面図である。
【図６】本発明に係る挿入用具の使用例を説明する図である。
【図７】本発明に係る曲げ径確認用具セットを示す斜視図である。
【図８】従来の光ファイバの余長部をケースに収納する巻取り収納治具の一例を示す模式図である。
【符号の説明】
【００４７】
１０  線条体の曲げ径確認用具
１１  第１の円弧
１２  第２の円弧
１４，１４’  光ファイバ心線（線条体）
１４Ａ，１４Ｂ  光ファイバ心線の湾曲部（線条体の湾曲部）
１４Ｃ  光ファイバ心線の巻取り部
１５  レンズ
１７，３５，４９  ひも取付部
１９  ひも
３０  線条体の取出用具
３７  スロット型光ファイバケーブル
３７Ａ  スロット溝
４０  線条体の挿入用具
５０  曲げ径確認用具セット
【図１】
2005265871.tif 000003
【図２】
2005265871.tif 000004
【図３】
2005265871.tif 000005
【図４】
2005265871.tif 000006
【図５】
2005265871.tif 000007
【図６】
2005265871.tif 000008
【図７】
2005265871.tif 000009
【図８】
2005265871.tif 000010